【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
表面に現像剤像が形成された記録材に定着領域で熱及び圧力を加えて前記現像剤像を前記記録材に定着させる定着装置であって、
加圧手段と、
前記加圧手段との間で前記定着領域を形成するフィルムと、
前記フィルムを介して前記定着領域を加熱する加熱手段と、
前記加熱手段を制御して前記定着領域を前記現像剤の定着に必要な温度以上とする制御手段と、
を有し、
前記加熱手段は、
発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、
前記制御手段は、
前記記録材の前記搬送方向における先端が前記定着領域に進入する前に前記第１の加熱手段による発熱を開始するとともに、前記先端の前記定着領域への進入以後に前記第２の加熱手段による発熱を開始し、前記記録材の前記搬送方向における後端が前記定着領域を通過するまで前記第１の加熱手段および前記第２の加熱手段を発熱状態とする、
ことを特徴とする定着装置。
【請求項２】
表面に現像剤像が形成された記録材に定着領域で熱及び圧力を加えて前記現像剤像を前記記録材に定着させる定着装置であって、
加圧手段と、
前記加圧手段との間で前記定着領域を形成するフィルムと、
前記フィルムを介して前記定着領域を加熱する加熱手段と、
前記加熱手段を制御して前記定着領域を前記現像剤の定着に必要な温度以上とする制御手段と、
を有し、
前記加熱手段は、
発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、
前記制御手段は、
前記記録材の前記搬送方向における先端が前記定着領域に進入する前に前記第１の加熱手段および前記第２の加熱手段による発熱を開始するとともに、前記先端が前記定着領域に進入する前の前記第２の加熱手段による発熱量を第１の発熱量とし、前記先端の前記定着領域への進入以後に前記第２の加熱手段による発熱量を前記第１の発熱量から前記第１の発熱量より大きい第２の発熱量とし、前記記録材の前記搬送方向における後端が前記定着領域を通過するまで前記第１の加熱手段および前記第２の加熱手段を発熱状態とする、
ことを特徴とする定着装置。
【請求項３】
前記制御手段は、
前記定着領域において前記端部の温度が前記中央部の温度以下となるように前記第１の加熱手段及び前記第２の加熱手段を制御することを特徴とする請求項１又は請求項２に記載の定着装置。
【請求項４】
感光ドラムと、
前記感光ドラムを帯電させる帯電手段と、
前記帯電手段により帯電された前記感光ドラムに光ビームを照射して前記感光ドラムに静電潜像を形成する露光手段と、
前記静電潜像に現像剤を供給して前記感光ドラムに現像剤像を形成する現像手段と、
前記現像剤を前記記録材に転写して前記記録材の表面に前記現像剤像を形成する転写手段と、
加圧手段と、
表面に現像剤像が形成された記録材に熱及び圧力を加える定着領域を前記加圧手段との間で形成するフィルムと、
前記フィルムを介して前記定着領域を加熱する加熱手段と、
前記加熱手段を制御して前記定着領域を前記現像剤の定着に必要な温度以上とする制御手段と、
を有し、
前記加熱手段は、
発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、
前記制御手段は、
前記記録材の前記搬送方向における先端が前記定着領域に進入する前に前記第１の加熱手段による発熱を開始するとともに、前記先端の前記定着領域への進入以後に前記第２の加熱手段による発熱を開始し、前記記録材の前記搬送方向における後端が前記定着領域を通過するまで前記第１の加熱手段および前記第２の加熱手段を発熱状態とする、
ことを特徴とする画像形成装置。
【請求項５】
感光ドラムと、
前記感光ドラムを帯電させる帯電手段と、
前記帯電手段により帯電された前記感光ドラムに光ビームを照射して前記感光ドラムに静電潜像を形成する露光手段と、
前記静電潜像に現像剤を供給して前記感光ドラムに現像剤像を形成する現像手段と、
前記現像剤を前記記録材に転写して前記記録材の表面に前記現像剤像を形成する転写手段と、
加圧手段と、
表面に現像剤像が形成された記録材に熱及び圧力を加える定着領域を前記加圧手段との間で形成するフィルムと、
前記フィルムを介して前記定着領域を加熱する加熱手段と、
前記加熱手段を制御して前記定着領域を前記現像剤の定着に必要な温度以上とする制御手段と、
を有し、
前記加熱手段は、
発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、
前記制御手段は、
前記記録材の前記搬送方向における先端が前記定着領域に進入する前に前記第１の加熱手段および前記第２の加熱手段による発熱を開始するとともに、前記先端が前記定着領域に進入する前の前記第２の加熱手段による発熱量を第１の発熱量とし、前記先端の前記定着領域への進入以後に前記第２の加熱手段による発熱量を前記第１の発熱量から前記第１の発熱量より大きい第２の発熱量とし、前記記録材の前記搬送方向における後端が前記定着領域を通過するまで前記第１の加熱手段および前記第２の加熱手段を発熱状態とする、
ことを特徴とする画像形成装置。
【手続補正２】
【補正対象書類名】明細書
【補正対象項目名】０００９
【補正方法】変更
【補正の内容】
【０００９】
本発明に係る定着装置は、表面に現像剤像が形成された記録材に定着領域で熱及び圧力を加えて前記現像剤像を前記記録材に定着させる定着装置であって、加圧手段と、前記加圧手段との間で前記定着領域を形成するフィルムと、前記フィルムを介して前記定着領域を加熱する加熱手段と、前記加熱手段を制御して前記定着領域を前記現像剤の定着に必要な温度以上とする制御手段と、を有し、前記加熱手段は、発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、前記制御手段は、前記記録材の前記搬送方向における先端が前記定着領域に進入する前に前記第１の加熱手段による発熱を開始するとともに、前記先端の前記定着領域への進入以後に前記第２の加熱手段による発熱を開始し、前記記録材の前記搬送方向における後端が前記定着領域を通過するまで前記第１の加熱手段および前記第２の加熱手段を発熱状態とする、ことを特徴とする。
また、本発明に係る定着装置は、表面に現像剤像が形成された記録材に定着領域で熱及び圧力を加えて前記現像剤像を前記記録材に定着させる定着装置であって、加圧手段と、前記加圧手段との間で前記定着領域を形成するフィルムと、前記フィルムを介して前記定着領域を加熱する加熱手段と、前記加熱手段を制御して前記定着領域を前記現像剤の定着に必要な温度以上とする制御手段と、を有し、前記加熱手段は、発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、前記制御手段は、前記記録材の前記搬送方向における先端が前記定着領域に進入する前に前記第１の加熱手段および前記第２の加熱手段による発熱を開始するとともに、前記先端が前記定着領域に進入する前の前記第２の加熱手段による発熱量を第１の発熱量とし、前記先端の前記定着領域への進入以後に前記第２の加熱手段による発熱量を前記第１の発熱量から前記第１の発熱量より大きい第２の発熱量とし、前記記録材の前記搬送方向における後端が前記定着領域を通過するまで前記第１の加熱手段および前記第２の加熱手段を発熱状態とする、ことを特徴とする。
【手続補正３】
【補正対象書類名】明細書
【補正対象項目名】００１０
【補正方法】変更
【補正の内容】
【００１０】
本発明に係る画像形成装置は、感光ドラムと、前記感光ドラムを帯電させる帯電手段と、前記帯電手段により帯電された前記感光ドラムに光ビームを照射して前記感光ドラムに静電潜像を形成する露光手段と、前記静電潜像に現像剤を供給して前記感光ドラムに現像剤像を形成する現像手段と、前記現像剤を前記記録材に転写して前記記録材の表面に前記現像剤像を形成する転写手段と、加圧手段と、表面に現像剤像が形成された記録材に熱及び圧力を加える定着領域を前記加圧手段との間で形成するフィルムと、前記フィルムを介して前記定着領域を加熱する加熱手段と、前記加熱手段を制御して前記定着領域を前記現像剤の定着に必要な温度以上とする制御手段と、を有し、前記加熱手段は、発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、前記制御手段は、前記記録材の前記搬送方向における先端が前記定着領域に進入する前に前記第１の加熱手段による発熱を開始するとともに、前記先端の前記定着領域への進入以後に前記第２の加熱手段による発熱を開始し、前記記録材の前記搬送方向における後端が前記定着領域を通過するまで前記第１の加熱手段および前記第２の加熱手段を発熱状態とする、ことを特徴とする。
また、本発明に係る画像形成装置は、感光ドラムと、前記感光ドラムを帯電させる帯電手段と、前記帯電手段により帯電された前記感光ドラムに光ビームを照射して前記感光ドラムに静電潜像を形成する露光手段と、前記静電潜像に現像剤を供給して前記感光ドラムに現像剤像を形成する現像手段と、前記現像剤を前記記録材に転写して前記記録材の表面に前記現像剤像を形成する転写手段と、加圧手段と、表面に現像剤像が形成された記録材に熱及び圧力を加える定着領域を前記加圧手段との間で形成するフィルムと、前記フィルムを介して前記定着領域を加熱する加熱手段と、前記加熱手段を制御して前記定着領域を前記現像剤の定着に必要な温度以上とする制御手段と、を有し、前記加熱手段は、発熱した際に、前記定着領域の前記記録材の搬送方向に直交する幅方向の端部の温度よりも中央部の温度が高い温度分布となる第１の加熱手段と、発熱した際に、前記定着領域の前記中央部の温度よりも前記端部の温度が高い温度分布となる第２の加熱手段と、を含み、前記制御手段は、前記記録材の前記搬送方向における先端が前記定着領域に進入する前に前記第１の加熱手段および前記第２の加熱手段による発熱を開始するとともに、前記先端が前記定着領域に進入する前の前記第２の加熱手段による発熱量を第１の発熱量とし、前記先端の前記定着領域への進入以後に前記第２の加熱手段による発熱量を前記第１の発熱量から前記第１の発熱量より大きい第２の発熱量とし、前記記録材の前記搬送方向における後端が前記定着領域を通過するまで前記第１の加熱手段および前記第２の加熱手段を発熱状態とする、ことを特徴とする。